(57)【要約】【課題】ユーザが所持する一方の携帯端末において他方の端末で実際に撮像される画像を確認することができ、ユーザの利便性を向上させることができる携帯端末のネットワークシステムを提供する。【解決手段】第１携帯端末２Ａと第２携帯端末２Ｂとを含む携帯端末のネットワークシステム１であって、第２携帯端末２Ｂは、撮像部６Ｂと、撮像部６Ｂにより取得された画像情報を第１携帯端末２Ａに向けて無線送信可能な第２送信部と、を備え、第１携帯端末２Ａは、第２携帯端末２Ｂの第２送信部から無線送信された画像情報を受信する第１受信部と、第１受信部で受信された画像情報に基づいて画像を表示する表示部２１Ａと、表示部２１Ａに表示された画像の画像情報の取得を決定する操作を受け付ける操作部１１Ａと、を備える【選択図】図１
2010130216.tif 000002
【特許請求の範囲】
【請求項１】
第１携帯端末と第２携帯端末とを含む携帯端末のネットワークシステムであって、
前記第２携帯端末は、
撮像部と、
前記撮像部により取得された画像情報を前記第１携帯端末に向けて無線送信可能な第２送信部と、
を備え、
前記第１携帯端末は、
前記第２携帯端末の前記第２送信部から無線送信された前記画像情報を受信する第１受信部と、
前記第１受信部で受信された前記画像情報に基づいて画像を表示する表示部と、
前記表示部に表示された画像の画像情報の取得を決定する操作を受け付ける操作部と、
を備える
ことを特徴とするネットワークシステム。
【請求項２】
前記第１携帯端末は、前記操作部での操作によって取得の決定がされた画像の前記画像情報を記憶する第１画像情報記憶部を備える
ことを特徴とする請求項１に記載のネットワークシステム。
【請求項３】
前記第１携帯端末は、前記操作部での操作によって取得の決定がされた画像の前記画像情報を前記第２携帯端末に向けて無線送信する第１送信部を備え、
前記第２携帯端末は、
前記第１携帯端末の前記第１送信部から無線送信された前記画像情報を受信する第２受信部と、
前記第２受信部に受信された前記画像情報を記憶する第２画像情報記憶部と、
を備える
ことを特徴とする請求項１または２に記載のネットワークシステム。
【請求項４】
前記第１携帯端末は、
前記操作部が受け付けた操作に基づいて、前記表示部に表示された画像の前記画像情報を所定のタイミングで取得する第１画像情報取得処理部を備える
ことを特徴とする請求項１から３のいずれかに記載のネットワークシステム。
【請求項５】
前記第１携帯端末は、
第１付加画像の情報を記憶する第１付加画像情報記憶部と、
前記第１受信部で受信された前記画像情報における画像と前記第１付加画像とを合成させて第１合成画像を得る第１画像合成処理部と、
を備え、
前記表示部は前記第１合成画像を表示する
ことを特徴とする請求項１から４のいずれかに記載のネットワークシステム。
【請求項６】
第１携帯端末と第２携帯端末とを含む携帯端末のネットワークシステムであって、
前記第２携帯端末は、
撮像部と、
前記撮像部により取得された画像情報に基づいて前記画像情報よりも情報量の少ないプレビュー画像情報を生成するプレビュー画像情報生成部と、
前記プレビュー画像情報生成部により生成された前記プレビュー画像情報を前記第１携帯端末に向けて無線送信可能な第２送信部と、
第２受信部と、
を備え、
前記第１携帯端末は、
前記第２携帯端末の前記第２送信部から無線送信された前記プレビュー画像情報を受信する第１受信部と、
前記第１受信部で受信された前記プレビュー画像情報に基づいて画像を表示する表示部と、
前記第２携帯端末の前記撮像部での画像情報の取得を指示する操作を受け付ける操作部と、
前記操作部での操作に応じて前記画像情報の取得指示を示す情報を前記第２携帯端末に向けて無線送信する第１送信部と、
を備え、
前記第２携帯端末において、
前記撮像部は、前記第１送信部にて前記取得指示を示す情報が受信されると、当該情報に基づいて画像情報を取得し、
前記第２送信部は、前記撮像部により取得された前記画像情報を前記第１携帯端末に向けて無線送信する
ことを特徴とするネットワークシステム。
【請求項７】
前記第１携帯端末は、
第１付加画像の情報を記憶する第１付加画像情報記憶部と、
前記第１受信部で受信された前記プレビュー画像情報におけるプレビュー画像と前記第１付加画像とを合成させて第１合成画像を得る第１画像合成処理部と、
を備え、
前記第１携帯端末において、前記表示部は、前記第１画像合成処理部により得られた前記第１合成画像を表示し、
前記第１送信部は、前記第１合成画像に対応する前記第１付加画像の情報及び前記撮像部が画像を取得するタイミングの情報を無線送信し、
前記第２携帯端末において、前記第２受信部は、前記第１送信部から無線送信された前記第１付加画像の情報及び前記タイミングの情報を受信し、
前記第２携帯端末は、前記第１付加画像と、前記タイミングの情報に基づいて前記撮像部により取得された画像情報の画像とを合成して第２合成画像を得る第２画像合成処理部を更に備え、
前記第２送信部は、前記第２合成画像を前記第１携帯端末へ無線送信し、
前記第１携帯端末は、前記第１受信部にて受信された前記第２合成画像を記憶する合成画像記憶部を有する
ことを特徴とする請求項６に記載のネットワークシステム。
【発明の詳細な説明】
【技術分野】
【０００１】
本発明は、携帯電話機などの携帯端末から形成されるネットワークシステムに関する。
【背景技術】
【０００２】
近年、手軽な通信機器として携帯電話機などの携帯端末が広く普及している。携帯電話機は、電話機能以外に被写体を撮影する機能を具備させるために、撮像部としてカメラモジュールを備えているものも多い。
また、カメラモジュール付きの携帯電話機を遠隔操作する技術として、例えば、下記特許文献１に記載された技術が知られている。この特許文献１に記載の技術によれば、一方の携帯電話機(ユーザが所持する携帯電話機)から他方の携帯電話機(撮影を行う携帯電話機)へ、無線基地局を介する無線通信回線を利用して撮像の合図を送信し、この合図に基づいて他方の携帯電話機に撮影を行わせることができる。
【０００３】
【特許文献１】特開２００３−１４３２６１号公報
【発明の開示】
【発明が解決しようとする課題】
【０００４】
しかしながら、特許文献１に記載の技術によれば、ユーザが所持する一方の携帯電話機において他方の携帯電話機で実際に撮像される画像を確認することができず、ユーザの利便性が劣るという問題点がある。この問題点は、携帯電話機以外の携帯端末から形成されるネットワークシステムにおいても同様に生じる。
【０００５】
従って、本発明は、ユーザが所持する一方の携帯端末において他方の端末で実際に撮像される画像を確認することができ、ユーザの利便性を向上させることができる携帯端末のネットワークシステムを提供することを目的とする。
【課題を解決するための手段】
【０００６】
本発明は、第１携帯端末と第２携帯端末とを含む携帯端末のネットワークシステムであって、前記第２携帯端末は、撮像部と、前記撮像部により取得された画像情報を前記第１携帯端末に向けて無線送信可能な第２送信部と、を備え、前記第１携帯端末は、前記第２携帯端末の前記第２送信部から無線送信された前記画像情報を受信する第１受信部と、前記第１受信部で受信された前記画像情報に基づいて画像を表示する表示部と、前記表示部に表示された画像の画像情報の取得を決定する操作を受け付ける操作部と、を備えることを特徴とするネットワークシステムに関する。
【０００７】
また、前記第１携帯端末は、前記操作部での操作によって取得の決定がされた画像の前記画像情報を記憶する第１画像情報記憶部を備えることが好ましい。
【０００８】
また、前記第１携帯端末は、前記操作部での操作によって取得の決定がされた画像の前記画像情報を前記第２携帯端末に向けて無線送信する第１送信部を備え、前記第２携帯端末は、前記第１携帯端末の前記第１送信部から無線送信された前記画像情報を受信する第２受信部と、前記第２受信部に受信された前記画像情報を記憶する第２画像情報記憶部と、を備えることが好ましい。
【０００９】
また、前記第１携帯端末は、前記操作部が受け付けた操作に基づいて、前記表示部に表示された画像の前記画像情報を所定のタイミングで取得する第１画像情報取得処理部を備えることが好ましい。
【００１０】
また、前記第１携帯端末は、第１付加画像の情報を記憶する第１付加画像情報記憶部と、前記第１受信部で受信された前記画像情報における画像と前記第１付加画像とを合成させて第１合成画像を得る第１画像合成処理部と、を備え、前記表示部は前記第１合成画像を表示することが好ましい。
【００１１】
本発明は、第１携帯端末と第２携帯端末とを含む携帯端末のネットワークシステムであって、前記第２携帯端末は、撮像部と、前記撮像部により取得された画像情報に基づいて前記画像情報よりも情報量の少ないプレビュー画像情報を生成するプレビュー画像情報生成部と、前記プレビュー画像情報生成部により生成された前記プレビュー画像情報を前記第１携帯端末に向けて無線送信可能な第２送信部と、第２受信部と、を備え、前記第１携帯端末は、前記第２携帯端末の前記第２送信部から無線送信された前記プレビュー画像情報を受信する第１受信部と、前記第１受信部で受信された前記プレビュー画像情報に基づいて画像を表示する表示部と、前記第２携帯端末の前記撮像部での画像情報の取得を指示する操作を受け付ける操作部と、前記操作部での操作に応じて前記画像情報の取得指示を示す情報を前記第２携帯端末に向けて無線送信する第１送信部と、を備え、前記第２携帯端末において、前記撮像部は、前記第１送信部にて前記取得指示を示す情報が受信されると、当該情報に基づいて画像情報を取得し、前記第２送信部は、前記撮像部により取得された前記画像情報を前記第１携帯端末に向けて無線送信することを特徴とするネットワークシステムに関する。
【００１２】
また、前記第１携帯端末は、第１付加画像の情報を記憶する第１付加画像情報記憶部と、前記第１受信部で受信された前記プレビュー画像情報におけるプレビュー画像と前記第１付加画像とを合成させて第１合成画像を得る第１画像合成処理部と、を備え、前記第１携帯端末において、前記表示部は、前記第１画像合成処理部により得られた前記第１合成画像を表示し、前記第１送信部は、前記第１合成画像に対応する前記第１付加画像の情報及び前記撮像部が画像を取得するタイミングの情報を無線送信し、前記第２携帯端末において、前記第２受信部は、前記第１送信部から無線送信された前記第１付加画像の情報及び前記タイミングの情報を受信し、前記第２携帯端末は、前記第１付加画像と、前記タイミングの情報に基づいて前記撮像部により取得された画像情報の画像とを合成して第２合成画像を得る第２画像合成処理部を更に備え、前記第２送信部は、前記第２合成画像を前記第１携帯端末へ無線送信し、前記第１携帯端末は、前記第１受信部にて受信された前記第２合成画像を記憶する合成画像記憶部を有することが好ましい。
【発明の効果】
【００１３】
本発明によれば、ユーザが所持する一方の携帯端末において他方の端末で実際に撮像される画像を確認することができ、ユーザの利便性を向上させることができる携帯端末のネットワークシステムを提供することができる。
【発明を実施するための最良の形態】
【００１４】
以下、図面を参照して本発明の携帯端末のネットワークシステムの一実施形態について説明する。図１は、本発明の携帯端末のネットワークシステム１を概念的に示す図である。
図１に示すように、本実施形態のネットワークシステム１は、第１携帯端末としての操作側端末２Ａと、第２携帯端末としての撮影側端末２Ｂとを備えて構成されている。操作側端末２Ａ及び撮影側端末２Ｂは、いずれも携帯電話機からなり、それぞれ赤外線通信モジュール１４０Ａ及び１４０Ｂ（図１において図示せず）を備えている。
【００１５】
操作側端末２Ａは、操作キー群１１Ａを備えている。撮影側端末２Ｂは、カメラモジュール６Ｂを備えている。操作側端末２Ａと撮影側端末２Ｂとは、赤外線通信モジュール１４０Ａ及び１４０Ｂを利用して、相互に赤外線通信が可能に構成されている。本実施形態のネットワークシステム１によれば、操作側端末２Ａを操作し、操作側端末２Ａを操作するユーザを含む被写体Ｑを撮影側端末２Ｂのカメラモジュール６Ｂにより撮影し、画像を取得することができる。
【００１６】
次に、操作側端末２Ａについて説明する。なお、撮影側端末２Ｂも操作側端末２Ａと同様の構成を有しており、そのため、操作側端末２Ａの説明により撮影側端末２Ｂの説明を兼ねる。その際、操作側端末２Ａの各構成部位を示す符号の末尾の「Ａ」を「Ｂ」に変更した上で、対応する撮影側端末２Ｂの各構成部位を説明することにする。  図２は、操作側端末２Ａの外観を正面側から視た斜視図である。図３は、操作側端末２Ａの外観を背面側から視た斜視図である。図４は、操作側端末２Ａの機能ブロック図である。図５は、操作側端末２Ａの詳細な機能ブロック図である。
【００１７】
図２及び図３に示すように、操作側端末２Ａは、操作部側筐体部１０Ａと、表示部側筐体部２０Ａとを備えて構成されている。操作部側筐体部１０Ａと表示部側筐体部２０Ａとは、操作部側筐体部１０Ａの上端部と表示部側筐体部２０Ａの下端部とがヒンジ機構４Ａを介して連結されている。操作部側筐体部１０Ａは、操作部としての操作キー群１１Ａと、音声入力部１２Ａと、撮像部としてのカメラモジュール６Ａとを備えて構成されている。
【００１８】
操作キー群１１Ａは、操作部側筐体部１０Ａの前面側に配置され、機能設定操作ボタン１３Ａと、入力操作ボタン１４Ａと、決定操作ボタン１５Ａと、を備えている。機能設定操作ボタン１３Ａは、各種設定や電話帳機能やメール機能等の各種機能を動作させる。入力操作ボタン１４Ａは、電話番号の数字やメール等の文字等の入力に用いられる。決定操作ボタン１５Ａは、各種操作における決定やスクロール等を行う。
また、操作キー群１１Ａによれば、メイン表示部２１Ａに表示された画像の画像情報の取得を決定する操作を受け付けることができる。
【００１９】
音声入力部１２Ａには、操作側端末２Ａのユーザが通話時に発した音声が入力される。カメラモジュール６Ａは、レンズ、ＣＣＤ等を有して構成され、操作部側筐体部１０Ａの背面側から被写体を撮影することができる。
【００２０】
表示部側筐体部２０Ａは、表示部としてのメイン表示部２１Ａと、音声出力部２２Ａと、サブ表示部２３Ａと、第１の送信部及び第１の受信部としての赤外線通信モジュール１４０Ａ（図４及び図５参照）と、を備えて構成されている。
メイン表示部２１Ａは、表示部側筐体部２０Ａの前面側に各種情報を表示する。音声出力部２２Ａは、通話の相手側の音声を出力する。サブ表示部２３Ａは、表示部側筐体部２０Ａの背面側に各種情報を表示する。赤外線通信モジュール１４０Ａは、表示部側筐体部２０Ａの内部に配置され、赤外線を利用した近距離通信を行う。
【００２１】
次に、図４及び図５を参照して、操作側端末２Ａにおける主な機能に係る構成について説明する。
図４に示すように、操作側端末２Ａは、ＣＰＵ１００Ａと、メモリ１２０Ａと、通信部１３０Ａと、第１の送信部及び第１の受信部としての赤外線通信モジュール１４０Ａと、操作部としての操作キー群１１Ａと、撮像部としてのカメラモジュール６Ａと、音声処理部１５０Ａと、画像処理部１６０Ａと、表示部としてのメイン表示部２１Ａと、サブ表示部２３Ａと、音声入力部１２Ａと、音声出力部２２Ａと、を備えて構成されている。
【００２２】
ＣＰＵ１００Ａは、ＩＣから構成され、操作側端末２Ａの全体を制御しており、例えば、通信部１３０Ａ、赤外線通信モジュール１４０Ａ、カメラモジュール６Ａ等から入力される各種電気信号に基づいて所定の演算を行い、音声処理部１５０Ａ、画像処理部１６０Ａ等の制御を行う。ＣＰＵ１００Ａにおける各処理部１０１Ａから１０９Ａ（１０４Ａを除く）、判定部１０４Ａ等の詳細については、後述する。
【００２３】
メモリ１２０Ａは、ＣＰＵ１００Ａのワーキングメモリを含み、ＣＰＵ１００Ａによる演算処理に利用される。メモリ１２０Ａには、ＣＰＵ１００Ａにおいて実行される多数のプログラム、データ、各種テーブル等が記憶されている。メモリ１２０Ａにおける各記憶部１２１Ａ、１２２Ａに記憶されるデータ等の詳細については、後述する。
なお、メモリ１２０Ａは、着脱可能な外部メモリであってもよい。
【００２４】
通信部１３０Ａは、所定の使用周波数帯により外部装置（基地局）との通信を行うメインアンテナ１３１Ａと、変調処理、復調処理等の信号処理を行う通信処理部１３２Ａと、を備えて構成されている。メインアンテナ１３１Ａは、所定の使用周波数帯（例えば、８００ＭＨｚ）で外部装置（基地局）と通信を行う。通信処理部１３２Ａは、メインアンテナ１３１Ａによって受信した信号を復調処理し、処理後の信号をＣＰＵ１００Ａに供給する。また、通信処理部１３２Ａは、ＣＰＵ１００Ａから供給された信号を変調処理し、メインアンテナ１３１Ａを介して外部装置（基地局）に送信する。
【００２５】
赤外線通信モジュール１４０Ａは、外部装置（基地局）を介しない無線通信を行う部位であり、ＩｒＤＡ通信処理部（図示せず）と、発受光素子（図示せず）とを備える。ＩｒＤＡ通信処理部は、ＣＰＵ１００Ａで処理された信号を変調処理し、発光素子を介して撮影側端末２Ｂに無線送信する。また、ＩｒＤＡ通信処理部は、撮影側端末２Ｂから無線送信された信号を、発光素子を介して受信し、復調処理してＣＰＵ１００Ａに出力する。
【００２６】
音声処理部１５０Ａは、ＣＰＵ１００Ａからの音声データを音響信号に変換して通話用の音声出力部２２Ａに出力する。また、音声入力部１２から入力された通話用の音を所定の音声信号に変換してＣＰＵ１００Ａに出力する。
【００２７】
画像処理部１６０Ａは、ＣＰＵ１００Ａからの画像データを画像信号に変換してメイン表示部２１Ａ又はサブ表示部２３Ａに出力する。
【００２８】
次に、ＣＰＵ１００Ａの詳細について説明する。図５に示すように、ＣＰＵ１００Ａは、送信制御部１０１Ａと、受信処理部１０２Ａと、表示制御部１０３Ａと、判定部１０４Ａと、画像合成処理部１０５Ａと、撮像制御部１０６Ａと、画像情報取得処理部１０７Ａと、画像情報送信処理部１０８Ａと、画像情報記憶処理部１０９Ａと、を備える。なお、ＣＰＵ１００Ａにおける判定部１０４Ａ以外の各部を「処理部」と総称する（図４、図６、図７参照）。
【００２９】
送信制御部１０１Ａは、ＣＰＵ１００Ａにより所定の処理が行われた所定の情報を赤外線通信モジュール１４０Ａに伝達（出力）し、赤外線通信モジュール１４０Ａから撮影側端末２Ｂに送信させる。
【００３０】
受信処理部１０２Ａは、赤外線通信モジュール１４０Ａに受信されＣＰＵ１００Ａに伝達（入力）された情報に対して所定の処理を行う。
【００３１】
表示制御部１０３Ａは、ＣＰＵ１００Ａに入力された画像情報に対して所定の画像処理を行うと共に、画像処理がされた画像情報を画像処理部１６０Ａに出力する。
【００３２】
判定部１０４Ａは、ＣＰＵ１００Ａに入力された画像情報について、フレーム画像などの付加画像と合成する必要があるか否かについて判定する。
【００３３】
画像合成処理部１０５Ａは、ＣＰＵ１００Ａに入力された画像情報における画像と、付加画像とを合成させて合成画像を得る処理を行う。
【００３４】
撮像制御部１０６Ａは、カメラモジュール６Ａを制御し、当該カメラモジュール６Ａに被写体の撮影を行わせる。
【００３５】
画像情報取得処理部１０７Ａは、メイン表示部２１Ａに表示された画像の画像情報を取得する処理を行う。詳細には、画像情報取得処理部１０７Ａは、操作キー群１１Ａが受け付けた操作に基づいて、メイン表示部２１Ａに表示された画像の画像情報を所定のタイミングで取得する。所定のタイミングは、例えば、操作キー群１１Ａを操作したタイミングと実質的に同じタイミングや、操作キー群１１Ａを操作したタイミングよりも数秒以上経ったタイミング（いわゆるセルフタイマーで好ましいタイミング）が挙げられる。
【００３６】
画像情報送信処理部１０８Ａは、画像情報取得処理部１０７Ａにより取得された画像情報を、赤外線通信モジュール１４０Ａに伝達（出力）し、赤外線通信モジュール１４０Ａに撮影側端末２Ｂへ向けて送信させる。
【００３７】
画像情報記憶処理部１０９Ａは、画像情報取得処理部１０７Ａにより取得された画像情報を、メモリ１２０Ａの画像情報記憶部１２２Ａに記憶させる。
【００３８】
次に、メモリ１２０Ａについて説明する。メモリ１２０Ａは、ワーキングメモリとは別に、付加画像情報記憶部１２１Ａと、画像情報記憶部１２２Ａと、を備える。なお、付加画像情報記憶部１２１Ａ及び画像情報記憶部１２２Ａを「記憶部」と総称する（図４、図６、図７参照）。
【００３９】
付加画像情報記憶部１２１Ａには、フレーム画像などの付加画像（他の画像に付加して合成することが可能な画像）が記憶されている。付加画像情報記憶部１２１Ａに記憶されている付加画像は、画像合成処理部１０５Ａにより他の画像と合成されて合成画像の一部を形成する。
【００４０】
画像情報記憶部１２２Ａには、画像情報取得処理部１０７Ａにより取得された画像の情報などの画像情報が記憶される。
【００４１】
次に、本実施形態のネットワークシステム１の第１使用態様について、図６から図８に示すフローチャートを参照しながら説明する。第１使用態様は、画像の合成を操作側端末２Ａにおいて行う使用態様である。図６は、第１使用態様における撮影側端末２Ｂの動作を示すフローチャートである。図７は、第１使用態様における操作側端末２Ａの動作を示すフローチャートである。図８は、第１使用態様における操作側端末２Ａ及び撮影側端末２Ｂにおける画像の送受信及び画像の合成を示すフローチャートである。
【００４２】
図６及び図８に示すように、ユーザは、撮影側端末２Ｂの操作部（操作キー群）１１Ｂを操作し、被写体Ｑ（ユーザを含む２人）の撮影を開始する（ステップＳ１１）。撮影が開始されると、処理部の撮像制御部１０６Ｂは、撮像部（カメラモジュール）６Ｂを制御し、撮像部６Ｂは、被写体Ｑの画像Ｐ１１の画像情報を取得する。撮影（画像情報の取得）は、連続的な撮影でもよく、所定間隔をあけて繰り返される間欠的な撮影でもよい。その際には、例えば、撮影側端末２Ｂのカメラモジュール６Ｂを被写体Ｑに向け、ユーザが撮影側端末２Ｂを持たなくても、撮影側端末２Ｂが支持されるようにセットする。撮影側端末２Ｂの支持は、三脚や専用の支持具などを用いて行うことができる。
なお、ユーザが操作側端末２Ａの操作部１１Ａを操作することによる操作信号を、無線通信を介して撮影側端末２Ｂに無線送信し、受信された操作信号に基づいて撮影側端末２Ｂの撮影を開始するように構成してもよい。
【００４３】
ステップＳ１２において、処理部の撮像制御部１０６Ｂは、被写体Ｑの画像Ｐ１１の画像情報を処理部に伝達（出力）する。
【００４４】
ステップＳ２１において、処理部の表示制御部１０３Ｂは、被写体Ｑの画像Ｐ１１の画像情報を表示部（メイン表示部）２１Ｂに出力し、表示部２１Ｂに対して被写体Ｑの画像Ｐ１１の表示を要求する。
【００４５】
ステップＳ２２において、表示部２１Ｂは、被写体Ｑの画像を表示する。
なお、ステップＳ２１及びステップＳ２２は省略することができる。
【００４６】
ステップＳ２３において、処理部の画像情報送信処理部１０８Ｂは、被写体Ｑの画像Ｐ１１の画像情報を送信部（赤外線通信モジュール）１４０Ｂに出力し、送信部１４０Ｂに対して被写体Ｑの画像Ｐ１１の画像情報の送信を要求する。
【００４７】
ステップＳ２４において、送信部１４０Ｂは、被写体Ｑの画像Ｐ１１の画像情報を送信する。
【００４８】
次に、操作側端末２Ａの動作について説明する。
図７及び図８に示すように、撮影側端末２Ｂの送信部１４０Ｂから送信された被写体Ｑの画像Ｐ１１の画像情報は、操作側端末２Ａの受信部（赤外線通信モジュール）１４０Ａに受信される（ステップＳ３１）
【００４９】
ステップＳ３２において、受信部１４０Ａは、被写体Ｑの画像Ｐ１１の画像情報を処理部に伝達（出力）する。
【００５０】
ステップＳ３３において、処理部の受信処理部１０２Ａは、判定部１０４Ａに被写体Ｑの画像Ｐ１１の画像情報に出力し、判定部１０４Ａに対して、被写体Ｑの画像Ｐ１１に対する画像合成の要否の判定を要求する。
【００５１】
ステップＳ３４において、判定部１０４Ａは、被写体Ｑの画像Ｐ１１に対する画像合成の要否を判定する。この判定は、例えば、予め設定されている条件に基づいて行われる。
【００５２】
ステップＳ３５において、判定部１０４Ａは、被写体Ｑの画像Ｐ１１に対する画像合成の要否の判定の結果を処理部に伝達（出力）する。
【００５３】
ステップＳ３６において、処理部の画像合成処理部１０５Ａは、判定部１０４Ａが「画像合成が必要」と判定した場合（ＹＥＳ）には、画像合成を行う処理であるステップＳ３７に進む。一方、判定部１０４Ａが「画像合成が不要」と判定した場合（ＮＯ）には、画像合成を行う処理（ステップＳ３７及びＳ３８）をスキップしてステップＳ４１に進む。
【００５４】
判定部１０４Ａが「画像合成が必要」と判定した場合（ＹＥＳ）には、ステップＳ３７において、画像合成処理部１０５Ａは、メモリ１２０Ａの付加画像情報記憶部１２１Ａに記憶されている付加画像（フレーム画像）Ｐ１２の画像情報を呼び出して取得する。本使用態様では、付加画像Ｐ１２は、風景のフレーム画像である。
【００５５】
ステップＳ３８において、処理部の画像合成処理部１０５Ａは、受信部１４０Ａに受信された画像情報における画像Ｐ１１と、付加画像Ｐ１２とを合成させて合成画像Ｐ１３を得る。
【００５６】
ステップＳ４１において、処理部の表示制御部１０３Ａは、表示部２１Ａに対して合成画像Ｐ１３の表示を要求する。
【００５７】
ステップＳ４２において、表示部２１Ａは、合成画像Ｐ１３を表示する。
【００５８】
ユーザは、表示部２１Ａに表示された合成画像Ｐ１３を見ながら、被写体Ｑを含む合成画像Ｐ１３が所望の状態になるように調整する。そして、被写体Ｑを含む合成画像Ｐ１３が所望の状態になったら、ユーザは、操作部１１Ａを操作し、画像情報の取得操作を行う（ステップＳ５１）。
【００５９】
ステップＳ５２において、操作部１１Ａは、処理部に対して画像情報の取得を要求する。
【００６０】
ステップＳ５３において、処理部の画像情報取得処理部１０７Ａは、表示部２１Ａに表示された合成画像Ｐ１３の画像情報及び合成画像Ｐ１３からフレーム画像Ｐ１２の画像情報を除いた未合成画像Ｐ１４の画像情報を取得する。
【００６１】
ステップＳ５４において、処理部の画像情報送信処理部１０８Ａは、送信部１４０Ａに対して、画像情報取得処理部１０７Ａにより取得された合成画像Ｐ１３の画像情報及び未合成画像Ｐ１４の画像情報の送信を要求する。
【００６２】
ステップＳ５５において、送信部１４０Ａは、合成画像Ｐ１３の画像情報及び未合成画像Ｐ１４の画像情報を送信する。後述するように、操作側端末２Ａの送信部１４０Ａから送信された合成画像Ｐ１３の画像情報及び未合成画像Ｐ１４の画像情報は、撮影側端末２Ｂの受信部１４０Ｂに受信される。
【００６３】
ステップＳ５６において、画像情報記憶処理部１０９Ａは、画像情報記憶部１２２Ａに合成画像Ｐ１３の画像情報及び未合成画像Ｐ１４の画像情報を記憶させる。
【００６４】
ステップＳ５７において、画像情報記憶部１２２Ａには、合成画像Ｐ１３の画像情報及び未合成画像Ｐ１４の画像情報が記憶される。
【００６５】
次に、撮影側端末２Ｂの動作について説明する。
図６及び図８に示すように、ステップＳ６１において、受信部１４０Ｂは、操作側端末２Ａの送信部１４０Ａから送信された合成画像Ｐ１３の画像情報及び未合成画像Ｐ１４の画像情報を受信する。
【００６６】
ステップＳ６２において、受信部１４０Ｂは、受信した合成画像Ｐ１３の画像情報及び未合成画像Ｐ１４の画像情報を処理部に伝達（出力）する。
【００６７】
ステップＳ６３において、処理部の画像情報記憶処理部１０９Ｂは、画像情報記憶部１２２Ｂに合成画像Ｐ１３の画像情報及び未合成画像Ｐ１４の画像情報を記憶させる。
【００６８】
ステップＳ６４において、画像情報記憶部１２２Ｂには、合成画像Ｐ１３の画像情報及び未合成画像Ｐ１４の画像情報が記憶される。
【００６９】
ステップＳ６５において、処理部の表示制御部１０３Ｂは、表示部２１Ｂに対して、合成画像Ｐ１３の表示を要求する。
【００７０】
ステップＳ６６において、表示部２１Ｂは、合成画像Ｐ１３を表示する。
【００７１】
次に、本実施形態のネットワークシステム１の第２使用態様について、図９から図１１に示すフローチャートを参照しながら説明する。第２使用態様は、画像の合成を撮影側端末２Ｂにおいて行う使用態様である。第２使用態様において、第１使用態様と同様の動作については、説明を省略する。図９は、第２使用態様における撮影側端末２Ｂの動作を示すフローチャートである。図１０は、第２使用態様における操作側端末２Ａの動作を示すフローチャートである。図１１は、第２使用態様における操作側端末２Ａ及び撮影側端末２Ｂにおける画像の送受信及び画像の合成を示すフローチャートである。
【００７２】
図９及び図１１に示すように、ユーザは、撮影側端末２Ｂの操作部（操作キー群）１１Ｂを操作し、被写体Ｑ（ユーザを含む２人）の撮影を開始する（ステップＳ１１）。撮影が開始されると、処理部の撮像制御部１０６Ｂは、撮像部（カメラモジュール）６Ｂを制御し、撮像部６Ｂは、被写体Ｑの画像Ｐ２１の画像情報を取得する。
なお、第１使用態様と同様に、ユーザが操作側端末２Ａの操作部１１Ａを操作することによる操作信号を、無線通信を介して撮影側端末２Ｂに無線送信し、受信された操作信号に基づいて撮影側端末２Ｂの撮影を開始するように構成してもよい。
【００７３】
ステップＳ１２において、処理部の撮像制御部１０６Ｂは、被写体Ｑの画像Ｐ２１の画像情報を処理部に伝達（出力）する。
【００７４】
ステップＳ１３において、処理部の受信処理部１０２Ｂは、判定部１０４Ｂに被写体Ｑの画像Ｐ２１の画像情報に出力し、判定部１０４Ｂに対して、被写体Ｑの画像Ｐ２１に対する画像合成の要否の判定を要求する。
【００７５】
ステップＳ１４において、判定部１０４Ｂは、被写体Ｑの画像Ｐ２１に対する画像合成の要否を判定する。この判定は、例えば、予め設定されている条件に基づいて行われる。
【００７６】
ステップＳ１５において、判定部１０４Ｂは、被写体Ｑの画像Ｐ２１に対する画像合成の要否の判定の結果を処理部に伝達（出力）する。
【００７７】
ステップＳ１６において、処理部の画像合成処理部１０５Ｂは、判定部１０４Ｂが「画像合成が必要」と判定した場合（ＹＥＳ）には、画像合成を行う処理であるステップＳ１７に進む。一方、判定部１０４Ｂが「画像合成が不要」と判定した場合（ＮＯ）には、画像合成を行う処理（ステップＳ１７及びＳ１８）をスキップしてステップＳ２１に進む。
【００７８】
判定部１０４Ｂが「画像合成が必要」と判定した場合（ＹＥＳ）には、ステップＳ１７において、画像合成処理部１０５Ｂは、メモリ１２０Ｂの付加画像情報記憶部１２１Ｂに記憶されている付加画像（フレーム画像）Ｐ２２の画像情報を呼び出して取得する。本使用態様では、付加画像Ｐ２２は、風景のフレーム画像である。
【００７９】
ステップＳ１８において、処理部の画像合成処理部１０５Ｂは、受信部１４０Ｂに受信された画像情報における画像Ｐ２１と、付加画像Ｐ２２とを合成させて合成画像Ｐ２３を得る。
【００８０】
ステップＳ２１において、処理部の表示制御部１０３Ｂは、合成画像Ｐ２３の画像情報を表示部（メイン表示部）２１Ｂに出力し、表示部２１Ｂに対して合成画像Ｐ２３の表示を要求する。
【００８１】
ステップＳ２２において、表示部２１Ｂは、合成画像Ｐ２３を表示する。
なお、ステップＳ２１及びステップＳ２２は省略することができる。
【００８２】
ステップＳ２３において、処理部の画像情報送信処理部１０８Ｂは、合成画像Ｐ２３の画像情報を送信部（赤外線通信モジュール）１４０Ｂに出力し、送信部１４０Ｂに対して合成画像Ｐ２３の画像情報の送信を要求する。
なお、画像情報送信処理部１０８Ｂは、合成画像Ｐ２３の画像情報の出力と共に又は合成画像Ｐ２３の画像情報の出力に代えて、合成されていない画像（未合成画像）２４を出力することができる。
【００８３】
ステップＳ２４において、送信部１４０Ｂは、合成画像Ｐ２３の画像情報を送信する。
【００８４】
次に、操作側端末２Ａの動作について説明する。
図１０及び図１１に示すように、撮影側端末２Ｂの送信部１４０Ｂから送信された合成画像Ｐ２３の画像情報は、操作側端末２Ａの受信部（赤外線通信モジュール）１４０Ａに受信される（ステップＳ３１）
【００８５】
ステップＳ３２において、受信部１４０Ａは、合成画像Ｐ２３の画像情報を処理部に伝達（出力）する。
【００８６】
ステップＳ４１において、処理部の表示制御部１０３Ａは、表示部２１Ａに対して合成画像Ｐ２３の表示を要求する。
【００８７】
ステップＳ４２において、表示部２１Ａは、合成画像Ｐ２３を表示する。
【００８８】
ユーザは、表示部２１Ａに表示された合成画像Ｐ２３を見ながら、被写体Ｑを含む合成画像Ｐ２３が所望の状態になるように調整する。そして、被写体Ｑを含む合成画像Ｐ２３が所望の状態になったら、ユーザは、操作部１１Ａを操作し、画像情報の取得操作を行う（ステップＳ５１）。
【００８９】
ステップＳ５２において、操作部１１Ａは、処理部に対して画像情報の取得を要求する。
【００９０】
ステップＳ５３において、処理部の画像情報取得処理部１０７Ａは、表示部２１Ａに表示された合成画像Ｐ２３の画像情報及び合成画像Ｐ２３からフレーム画像Ｐ２２の画像情報を除いた未合成画像Ｐ２４の画像情報を取得する。
【００９１】
ステップＳ５４において、処理部の画像情報送信処理部１０８Ａは、送信部１４０Ａに対して、画像情報取得処理部１０７Ａにより取得された合成画像Ｐ２３の画像情報及び未合成画像Ｐ２４の画像情報の送信を要求する。
【００９２】
ステップＳ５５において、送信部１４０Ａは、合成画像Ｐ２３の画像情報及び未合成画像Ｐ２４の画像情報を送信する。後述するように、操作側端末２Ａの送信部１４０Ａから送信された合成画像Ｐ２３の画像情報及び未合成画像Ｐ２４の画像情報は、撮影側端末２Ｂの受信部１４０Ｂに受信される。
【００９３】
ステップＳ５６において、画像情報記憶処理部１０９Ａは、画像情報記憶部１２２Ａに合成画像Ｐ２３の画像情報及び未合成画像Ｐ２４の画像情報を記憶させる。
【００９４】
ステップＳ５７において、画像情報記憶部１２２Ａには、合成画像Ｐ２３の画像情報及び未合成画像Ｐ２４の画像情報が記憶される。
【００９５】
次に、撮影側端末２Ｂの動作について説明する。
図９及び図１１に示すように、ステップＳ６１において、受信部１４０Ｂは、操作側端末２Ａの送信部１４０Ａから送信された合成画像Ｐ２３の画像情報及び未合成画像Ｐ２４の画像情報を受信する。
【００９６】
ステップＳ６２において、受信部１４０Ｂは、受信した合成画像Ｐ２３の画像情報及び未合成画像Ｐ２４の画像情報を処理部に伝達（出力）する。
【００９７】
ステップＳ６３において、処理部の画像情報記憶処理部１０９Ｂは、画像情報記憶部１２２Ｂに合成画像Ｐ２３の画像情報及び未合成画像Ｐ２４の画像情報を記憶させる。
【００９８】
ステップＳ６４において、画像情報記憶部１２２Ｂには、合成画像Ｐ２３の画像情報及び未合成画像Ｐ２４の画像情報が記憶される。
【００９９】
ステップＳ６５において、処理部の表示制御部１０３Ｂは、表示部２１Ｂに対して、合成画像Ｐ２３の表示を要求する。
【０１００】
ステップＳ６６において、表示部２１Ｂは、合成画像Ｐ２３を表示する。
なお、ステップＳ６５及びステップＳ６６は省略することができる。
【０１０１】
本実施形態のネットワークシステムによれば、以下の効果が奏される。
本実施形態においては、撮影側端末２Ｂは、カメラモジュール（撮像部）６Ｂと、カメラモジュール６Ｂにより取得された画像情報を操作側端末２Ａに向けて無線送信可能な赤外線通信モジュール（第２送信部）１４０Ｂと、を備える。操作側端末２Ａは、撮影側端末２Ｂの赤外線通信モジュール（第２送信部）１４０Ｂから無線送信された画像情報を受信する赤外線通信モジュール（第１受信部）１４０Ａと、赤外線通信モジュール（第１受信部）１４０Ａで受信された画像情報に基づいて画像を表示する（メイン）表示部２１Ａと、（メイン）表示部２１Ａに表示された画像の画像情報の取得を決定する操作を受け付ける操作キー群（操作部）１１Ａとを備える。
【０１０２】
そのため、撮影側端末２Ｂで実際に撮影される画像を、ユーザが所持する操作側端末２Ａの（メイン）表示部２１Ａにより確認しながら画像情報の取得操作を行うことができる。従って、ユーザの利便性が高く、所望の撮影内容の画像を容易に得ることができる。また、ユーザが所望するタイミングとタイムラグがなく、画像の取得を行うことができる。
【０１０３】
また、本実施形態においては、操作側端末２Ａは、操作部１１Ａでの操作によって取得の決定がされた画像の画像情報を記憶する（第１）画像情報記憶部１２２Ａを備える。そのため、ユーザが取得した画像情報を操作側端末２Ａに保存し、容易に利用することができる。
【０１０４】
また、本実施形態においては、操作側端末２Ａは、（メイン）表示部２１Ａに表示された画像の画像情報を撮影側端末２Ｂに向けて無線送信する赤外線通信モジュール（第１送信部）１４０Ａを備える。撮影側端末２Ｂは、操作側端末２Ａの赤外線通信モジュール（第１送信部）１４０Ａから無線送信された画像情報を受信する赤外線通信モジュール（第２受信部）１４０Ｂと、赤外線通信モジュール（第２受信部）１４０Ｂに受信された画像情報を記憶する（第２）画像情報記憶部１２２Ｂと、を備える。そのため、ユーザが取得した画像情報を撮影側端末２Ｂに保存し、容易に利用することができる。
【０１０５】
また、本実施形態においては、操作側端末２Ａは、（第１）付加画像Ｐ１２の情報を記憶する（第１）付加画像情報記憶部１２２Ａと、赤外線通信モジュール（第１受信部）１４０Ａで受信された画像情報における画像Ｐ１１と（第１）付加画像Ｐ１２とを合成させて（第１）合成画像Ｐ１３を得る（第１）画像合成処理部１０５Ａと、を備え、（メイン）表示部２１Ａは（第１）合成画像Ｐ１３を表示する。
【０１０６】
そのため、合成画像Ｐ１３を、ユーザが所持する操作側端末２Ａの（メイン）表示部２１Ａにより確認しながら合成画像Ｐ１３の画像情報の取得操作を行うことができる。しかも、付加画像Ｐ１２を、撮影側端末２Ｂから操作側端末２Ａに送信する必要がない。従って、合成画像Ｐ１３を確認しながら所望の合成画像Ｐ１３を容易に得ることができる。
【０１０７】
以上、本発明の実施形態について説明したが、本発明は上述した実施形態に制限されるものではない。
例えば、第１使用態様のような操作側端末２Ａにおける画像の合成を省略することができ、また、第２使用態様のような撮影側端末２Ｂにおける画像の合成を省略することができる。一連の使用態様において、操作側端末２Ａにおける画像の合成及び撮影側端末２Ｂにおける画像の合成の両方を行うことができる。
【０１０８】
また、撮影側端末２Ｂに、撮影側端末２Ｂと操作側端末２Ａとの間の距離を測定する機能を設けることができる。距離の測定（算出）は、例えば、撮影側端末２Ｂと操作側端末２Ａとの間における無線電力の伝送損失量や往復伝搬時間に基づいて行うことができる。撮影側端末２Ｂと操作側端末２Ａとの間の距離を測定することで、操作側端末２Ａを所持する被写体に対するピント合わせの精度を向上させることができる。
【０１０９】
また、操作側端末２Ａは、操作側端末２Ａの周りの照度（明るさ）を検出する照度センサを備え、照度センサにより検出された照度の情報を撮影側端末２Ｂに送信可能な構成とすることができる。また、撮影側端末２Ｂは、操作側端末２Ａから送信された照度の情報を受信し、受信された照度の情報に基づいて、撮影条件を変更するように構成することができる。操作側端末２Ａ及び撮影側端末２Ｂを以上の構成とすることにより、操作側端末２Ａの周りの照度に応じて、操作側端末２Ａを所持する被写体に対する撮影条件を適切な条件に変更することが容易となる。
【０１１０】
操作側端末２ＡにＧＰＳ（グローバル・ポジショニング・システム）を設け、操作側端末２Ａの正確な位置を検出可能とし、ＧＰＳにより検出された操作側端末２Ａの正確な位置に基づいて、取得した画像に操作側端末２Ａの位置の情報（撮影場所の都道府県、市町村名など）を合成することができる。
【０１１１】
本発明においては、第２実施形態として、撮影側端末（第２携帯端末）２Ｂは、撮像部６Ｂと、撮像部６Ｂにより取得された画像情報に基づいて前記画像情報よりも情報量の少ないプレビュー画像情報を生成するプレビュー画像情報生成部と、前記プレビュー画像情報生成部により生成された前記プレビュー画像情報を操作側端末（第１携帯端末）２Ａに向けて無線送信可能な第２送信部１４０Ｂと、第２受信部１４０Ｂと、を備え、操作側端末（第１携帯端末）２Ａは、第２携帯端末の第２送信部１４０Ｂから無線送信された前記プレビュー画像情報を受信する第１受信部１４０Ａと、第１受信部１４０Ａで受信された前記プレビュー画像情報に基づいて画像を表示する表示部２１Ａと、撮影側端末（第２携帯端末）２Ｂの撮像部６Ｂでの画像情報の取得を指示する操作を受け付ける操作部１１Ａと、操作部１１Ａでの操作に応じて画像情報の取得指示を示す情報を撮影側端末（第２携帯端末）２Ｂに向けて無線送信する第１送信部１４０Ａと、を備える構成とすることができる。ここで、撮影側端末（第２携帯端末）２Ｂにおいて、撮像部６Ｂは、第１送信部１４０Ａにて前記取得指示を示す情報が受信されると、当該情報に基づいて画像情報を取得し、第２送信部１４０Ｂは、撮像部６Ｂにより取得された前記画像情報を操作側端末（第１携帯端末）２Ａに向けて無線送信する。
【０１１２】
更に、操作側端末（第１携帯端末）２Ａは、第１付加画像Ｐ１２の情報を記憶する第１付加画像情報記憶部１２１Ａと、第１受信部１４０Ａで受信された前記プレビュー画像情報におけるプレビュー画像と第１付加画像Ｐ１２とを合成させて第１合成画像を得る第１画像合成処理部１０５Ａと、を備え、操作側端末（第１携帯端末）２Ａにおいて、表示部２１Ａは、第１画像合成処理部１０５Ａにより得られた第１合成画像を表示し、第１送信部１４０Ａは、第１合成画像に対応する第１付加画像Ｐ１２の情報及び撮像部６Ｂが画像を取得するタイミングの情報を無線送信し、撮影側端末（第２携帯端末）２Ｂにおいて、第２受信部１４０Ｂは、第１送信部１４０Ａから無線送信された第１付加画像Ｐ１２の情報及び前記タイミングの情報を受信し、撮影側端末（第２携帯端末）２Ｂは、第１付加画像Ｐ１２と、前記タイミングの情報に基づいて撮像部６Ｂにより取得された画像情報の画像Ｐ１１とを合成して第２合成画像を得る第２画像合成処理部１０５Ｂと、第２送信部１４０Ｂは、前記第２合成画像を操作側端末（第１携帯端末）２Ａへ無線送信し、操作側端末（第１携帯端末）２Ａは、第１受信部１４０Ａにて受信された前記第２合成画像を記憶する合成画像記憶部と、を備える構成とすることができる。
【０１１３】
このような構成を用いると、実際に撮像された画像として記憶部に保存される画像は、無線通信により撮影側端末２Ｂから操作側端末２Ａへ送信されることがなくなる。
一方、無線通信にてプレビュー画像という動画を送信する場合、通信資源を浪費しないようにするために、画像サイズを圧縮しなければならない場合がある。例えば、撮影側端末２Ｂにおける撮像部６Ｂは、ＶＧＡ画像（６４０×４８０ピクセル）の画像品質で撮影可能にも拘らず、通信資源を浪費しないようにするために、ＶＧＡ画像をＱＶＧＡ画像（３２０×２４０ピクセル）に圧縮し、当該ＱＶＧＡ画像を連続的に無線送信しなければならない場合が考えられる。
【０１１４】
従って、このような場合、前述の図４及び図５に示す実施形態においては、撮像部６Ｂの撮像能力が十分に発揮されない画像を保存することになってしまう。
このような場合においては、第２実施形態のように、撮影側端末２Ｂにおいて記憶された画像を保存する構成を有していると、撮像部６Ｂの撮像能力が十分に発揮された画像（例えばＶＧＡ画像）を撮影画像として記憶することが可能となる。従って、保存された画像の品質を向上させることが可能となる。
【０１１５】
なお、前記実施形態においては、無線通信として赤外線通信を用いて説明したが、本発明はこれに限定されるものではない。例えば、Ｂｌｕｅ  ｔｏｏｔｈ（登録商標）にて無線通信を行う構成としてもよい。
【０１１６】
また、前記実施形態においては、携帯端末としての携帯電話機を用いて説明したが、本発明はこれに限定されるものではない。本発明に用いられる携帯端末は、無線通信機能を有するものであればよく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１１７】
また、前記実施形態においては、いわゆる折り畳み型の携帯電話機の形態を示して説明したが、本発明はこれに限定されるものではない。本発明に係る携帯電話機の形態としては、操作部側筐体部１０Ａ、１０Ｂと表示部側筐体部２０Ａ、２０Ｂとを重ね合わせた状態から一方の筐体を一方向にスライドさせるようにしたスライド式や、操作部側筐体部１０Ａ、１０Ｂと表示部側筐体部２０Ａ、２０Ｂとの重ね合せ方向に沿う軸線を中心に一方の筐体を回転させるようにした回転式（ターンタイプ）や、操作部側筐体部１０Ａ、１０Ｂと表示部側筐体部２０Ａ、２０Ｂとが一つの筐体に配置され連結部を有さない型式（ストレートタイプ）等であってもよい。
【図面の簡単な説明】
【０１１８】
【図１】図１は、本発明の携帯端末のネットワークシステム１を概念的に示す図である。
【図２】操作側端末２Ａの外観を正面側から視た斜視図である。
【図３】操作側端末２Ａの外観を背面側から視た斜視図である。
【図４】操作側端末２Ａの機能ブロック図である。
【図５】操作側端末２Ａの詳細な機能ブロック図である。
【図６】第１使用態様における撮影側端末２Ｂの動作を示すフローチャートである。
【図７】第１使用態様における操作側端末２Ａの動作を示すフローチャートである。
【図８】第１使用態様における操作側端末２Ａ及び撮影側端末２Ｂにおける画像の送受信及び画像の合成を示すフローチャートである。
【図９】第２使用態様における撮影側端末２Ｂの動作を示すフローチャートである。
【図１０】第２使用態様における操作側端末２Ａの動作を示すフローチャートである。
【図１１】第２使用態様における操作側端末２Ａ及び撮影側端末２Ｂにおける画像の送受信及び画像の合成を示すフローチャートである。
【符号の説明】
【０１１９】
１  ネットワークシステム
２Ａ  操作側端末（第１携帯端末）
２Ｂ  撮影側端末（第２携帯端末）
６Ｂ  カメラモジュール（撮像部）
１１Ａ  操作キー群（操作部）
２１Ａ  メイン表示部（表示部）
１０５Ａ  （第１）画像合成処理部
１０７Ａ  （第１）画像情報取得処理部
１２２Ａ  （第１）画像情報記憶部
１２２Ｂ  （第２）画像情報記憶部
１２１Ａ  （第１）付加画像情報記憶部
１４０Ａ  赤外線通信モジュール（第１送信部、第１受信部）
１４０Ｂ  赤外線通信モジュール（第２送信部、第２受信部）
Ｐ１１  画像
Ｐ１２  （第１）付加画像
Ｐ１３  （第１）合成画像
【図１】
2010130216.tif 000003
【図２】
2010130216.tif 000004
【図３】
2010130216.tif 000005
【図４】
2010130216.tif 000006
【図５】
2010130216.tif 000007
【図６】
2010130216.tif 000008
【図７】
2010130216.tif 000009
【図８】
2010130216.tif 000010
【図９】
2010130216.tif 000011
【図１０】
2010130216.tif 000012
【図１１】
2010130216.tif 000013